(57)【要約】【課題】アクセス情報が受信されたか否かをユーザが確認でき、ホームページ情報等のコンテンツ情報が必要か否かを判断できるようにする。【解決手段】自動改札機２は、ホームページ情報Ｄ１の取得を誘導する２次元コード情報Ｄ２（アクセス情報）及びホームページ情報Ｄ１に関連した広告情報Ｄ３を無線で発信する。ＩＣカード３は、自動改札機２によって発信された２次元コード情報Ｄ２及び広告情報Ｄ３を受信して電子ペーパー３４に表示する。これにより、２次元コード情報Ｄ２及び広告情報Ｄ３が受信されたか否かをユーザが確認できるようになる。この結果、ユーザは、広告情報Ｄ３を閲覧して、この広告情報Ｄ３に関連したホームページ情報Ｄ１が必要か否かを判断できる。【選択図】図２
2010267230.tif 000002
【特許請求の範囲】
【請求項１】
コンテンツ情報の取得を誘導するアクセス情報を無線で発信する情報発信装置と、
前記情報発信装置によって発信された前記アクセス情報を受信して表示する受信表示部材とを備える情報提供システム。
【請求項２】
前記情報発信装置には記憶装置が接続され、
前記記憶装置は、
前記コンテンツ情報及び前記アクセス情報を記憶する請求項１に記載の情報提供システム。
【請求項３】
前記アクセス情報は、２次元コードである請求項２に記載の情報提供システム。
【請求項４】
前記情報発信装置は、
自動改札機又はキャッシュレジスタ装置に設けられる請求項１に記載の情報提供システム。
【請求項５】
前記受信表示部材は、ＩＣカードである請求項１に記載の情報提供システム。
【請求項６】
前記情報発信装置は、
前記コンテンツ情報に関連した広告情報を無線で発信し、
前記受信表示部材は、
前記情報発信装置によって発信された前記広告情報を受信して表示する請求項１に記載の情報提供システム。
【請求項７】
前記受信表示部材は、
前記アクセス情報及び前記広告情報を受信する受信部と、
前記受信部によって受信された前記アクセス情報及び前記広告情報を表示する表示部とを有する請求項１に記載の情報提供システム。
【請求項８】
前記受信表示部材は、
利用者に関連する利用者情報を記憶する記憶部と、
前記記憶部に記憶された前記利用者情報を前記情報発信装置に送信する送信部とをさらに有する請求項７に記載の情報提供システム。
【請求項９】
前記表示部は、電子ペーパー又は液晶ディスプレイである請求項７に記載の情報提供システム。
【請求項１０】
前記記憶装置は、複数の前記利用者情報を記憶し、
前記情報発信装置は、前記受信表示部材が有する前記送信部から送信された利用者情報と前記記憶装置に記憶された利用者情報とが一致するか否かを判別し、該一致した場合に、前記アクセス情報及び前記広告情報を前記受信表示部材に無線で発信する請求項２又は８に記載の情報提供システム。
【請求項１１】
前記利用者情報は、
少なくとも、年齢、性別、趣味のうち１つ以上が含まれる請求項９に記載の情報提供システム。
【請求項１２】
コンテンツ情報の取得を誘導するアクセス情報を無線で発信し、発信された前記アクセス情報を受信して表示する情報提供方法。
【発明の詳細な説明】
【技術分野】
【０００１】
本発明は、自動改札機やキャッシュレジスタ装置からの情報を提供する情報提供システムに関するものである。
【背景技術】
【０００２】
近年、パーソナルコンピュータが普及し、家庭でホームページを閲覧することが多くなってきている。テレビジョン放送によるコマーシャルやポスター等による広告では情報量が限られているために、情報提供者側は、その広告内容の詳細については、ユーザにホームページを閲覧するように促して、より多くの情報を提供する試みがなされている。
【０００３】
特許文献１には、ホームページへのアクセスを促す自動改札システムが開示されている。この自動改札システムによれば、自動改札機を通過するとき、定期乗車券等に利用されるＩＣカードを当該自動改札機の送受信部に接近させる。自動改札機の送受信部からＩＣカードに内蔵されるＩＣチップにホームページのＵＲＬ（Uniform  Resource  Locator）を記憶させる。これにより、ＩＣチップに記憶されたＵＲＬを専用のリーダを用いて読み出すものである。
【先行技術文献】
【特許文献】
【０００４】
【特許文献１】特開２００１−３５１１２９号公報
【発明の概要】
【発明が解決しようとする課題】
【０００５】
ところで、特許文献１によれば、ＩＣチップからＵＲＬを専用のリーダで読み出してホームページにアクセスすることができる。しかしながら、ユーザは、専用のリーダを用いるまで、ＩＣチップにＵＲＬ情報が記録されているか否かの判断ができない。
【０００６】
本発明は、このような課題を解決したものであって、情報が受信されたか否かをユーザが確認でき、ホームページ情報等のコンテンツ情報が必要か否かを判断できる情報提供システムを提供することを目的とする。
【課題を解決するための手段】
【０００７】
上述の課題を解決するために、本発明に係る情報提供システムは、コンテンツ情報の取得を誘導するアクセス情報を無線で発信する情報発信装置と、この情報発信装置によって発信されたアクセス情報を受信して表示する受信表示部材とを備えるものである。
【０００８】
本発明に係る情報提供システムによれば、情報発信装置は、コンテンツ情報の取得を誘導するアクセス情報を無線で発信する。受信表示部材は、情報発信装置によって発信されたアクセス情報を受信して表示する。
【０００９】
これにより、アクセス情報が受信されたか否かをユーザが受信表示部材を見ることで確認できるようになる。この結果、ユーザはコンテンツ情報が必要か否かを判断でき、そのコンテンツ情報が必要であれば、情報提供システムはコンテンツ情報の取得を誘導できる。
【００１０】
本発明に係る情報提供方法は、コンテンツ情報の取得を誘導するアクセス情報を無線で発信し、発信されたアクセス情報を受信して表示するものである。
【発明の効果】
【００１１】
本発明に係る情報提供システム及び情報提供方法によれば、アクセス情報を表示してコンテンツ情報の取得を誘導できるので、不要な情報をユーザに与えず、ユーザが必要となる情報を提供できる。
【図面の簡単な説明】
【００１２】
【図１】第１の実施の形態に係る情報提供システム１００の構成例を示す説明図である。
【図２】第２の実施の形態に係る情報提供システム１００Ａの構成例を示す説明図である。
【図３】自動改札機２の構成例を示すブロック図である。
【図４】ＩＣカード３の構成例を示すブロック図である。
【図５】ＩＣカード３の表示例を示す説明図である。
【図６】自動改札機２の動作例を示すフローチャートである。
【図７】ＩＣカード３の動作例を示すフローチャートである。
【図８】ホームページ情報Ｄ１の取得例を示すフローチャートである。
【図９】第３の実施の形態に係る情報提供システム１００Ｂの構成例を示す説明図である。
【図１０】自動改札機２Ｂの構成例を示すブロック図である。
【図１１】ＩＣカード３Ｂの構成例を示すブロック図である。
【図１２】自動改札機２Ｂの動作例を示すフローチャートである。
【図１３】ＩＣカード３Ｂの動作例を示すフローチャートである。
【図１４】第４の実施の形態に係る情報提供システム１００Ｃの構成例を示す説明図である。
【図１５】キャッシュレジスタ装置５の構成例を示すブロック図である。
【図１６】キャッシュレジスタ装置５の動作例を示すフローチャートである。
【発明を実施するための形態】
【００１３】
以下、本発明を実施するための形態（以下、実施の形態という）について説明する。なお、説明は以下の順序にて行う。  
１．第１の実施の形態（情報提供システム１００：構成例）  
２．第２の実施の形態（情報提供システム１００Ａ：構成例、動作例）  
３．第３の実施の形態（情報提供システム１００Ｂ：構成例、動作例）  
４．第４の実施の形態（情報提供システム１００Ｃ：構成例、動作例）
【００１４】
＜第１の実施の形態＞  
［情報提供システム１００の構成例］  
図１に示すように、本実施の形態に係る情報提供システム１００は、情報発信装置の一例である自動改札機１０Ａ，１０Ｂ，１０Ｃ，１０Ｄ及び受信表示部材の一例であるＩＣカード３で構成される。さらに、情報提供システム１００は、記憶装置の一例であるサーバ１３を備える。
【００１５】
サーバ１３は、コンテンツ情報の一例であるホームページ情報Ｄ１を記憶する。このホームページ情報Ｄ１は、例えば、店舗の宣伝を目的とするホームページに関するものである。なお、ホームページ情報Ｄ１は、例えば、音声、画像、動画等の情報であってもよい。
【００１６】
また、サーバ１３は、ホームページ情報Ｄ１の取得を誘導するアクセス情報の一例である２次元コード情報Ｄ２とホームページ情報Ｄ１に関連した広告情報Ｄ３をさらに記憶する。アクセス情報は、例えば、ホームページ情報Ｄ１に関連したホームページのＵＲＬ等の文字情報であってもよい。２次元コード情報Ｄ２には、ホームページのＵＲＬ等が格納される。広告情報Ｄ３は、例えば、ホームページ情報Ｄ１に関連する店舗を宣伝する情報である。また、広告情報Ｄ３には当該広告情報Ｄ３に関連する店舗の広告の宣伝開始日時と宣伝終了日時を示すデータや宣伝場所の駅名を示すデータ等がさらに含まれる。サーバ１３は、店舗の広告の宣伝開始日時、宣伝終了日時及び宣伝場所等から宣伝スケジュール（以下、番組表という）を作成する。
【００１７】
サーバ１３には情報端末装置１２が接続される。情報端末装置１２は、記録媒体であるＣＤＲＯＭ１１等からホームページ情報Ｄ１、２次元コード情報Ｄ２及び広告情報Ｄ３を取得して、サーバ１３に出力する。
【００１８】
また、サーバ１３にはネットワーク５０を介して自動改札機１０Ａ，１０Ｂ，１０Ｃ，１０Ｄが接続される。ネットワーク５０は、例えば、鉄道会社の社内ネットワーク等で構築されるものである。自動改札機１０Ａ，１０Ｂ，１０Ｃ，１０Ｄは、駅構内に設置され、切符や定期乗車券等を改札するものである。例えば、自動改札機１０Ａは、「Ａ駅南口」に設置され、自動改札機１０Ｂは、「Ａ駅北口」に設置され、自動改札機１０Ｃは、「Ｃ駅」に設置され、自動改札機１０Ｄは「Ｄ駅」に設置されるものとする。
【００１９】
自動改札機１０Ａは、第１の自動改札本体部（以下、自動改札本体部２ａという）、第２の自動改札本体部（以下、自動改札本体部２ｂという）、第３の自動改札本体部（以下、自動改札本体部２ｃという）、第４の自動改札本体部（以下、自動改札本体部２ｄという）、第５の自動改札本体部（以下、自動改札本体部２ｅという）、第１のプレーヤ（以下、プレーヤ７ａという）、第２のプレーヤ（以下、プレーヤ７ｂという）、第３のプレーヤ（以下、プレーヤ７ｃという）、第４のプレーヤ（以下、プレーヤ７ｄという）、第５のプレーヤ（以下、プレーヤ７ｅという）及びサーバ２０を備える。また、自動改札機１０Ｂ，１０Ｃ，１０Ｄも自動改札本体部、プレーヤ及びサーバを備える。
【００２０】
サーバ１３に格納される２次元コード情報Ｄ２及び広告情報Ｄ３が、例えば、Ａ駅南口付近にある店舗に関するものであるとすると、広告情報Ｄ３に記憶される宣伝場所の駅名を示すデータに「Ａ駅南口」というデータが含まれる。この「Ａ駅南口」というデータに基づいて２次元コード情報Ｄ２及び広告情報Ｄ３がサーバ１３から出力されて、ネットワーク５０を介してＡ駅南口にあるサーバ２０に保存される。また、サーバ１３は、Ａ駅南口にあるサーバ２０にＡ駅南口に対応した番組表を配信する。
【００２１】
サーバ２０にはプレーヤ７ａ，７ｂ，７ｃ，７ｄ，７ｅがそれぞれ接続される。広告情報Ｄ３に格納される店舗の広告の宣伝開始日時になると、サーバ２０からプレーヤ７ａ，７ｂ，７ｃ，７ｄ，７ｅへ２次元コード情報Ｄ２及び広告情報Ｄ３が出力される。
【００２２】
プレーヤ７ａ，７ｂ，７ｃ，７ｄ，７ｅには自動改札本体部２ａ，２ｂ，２ｃ，２ｄ，２ｅがそれぞれ接続される。例えば、図１に示すように、自動改札本体部２ａにＩＣカード３が接近されたとき、当該自動改札本体部２ａが切符や定期乗車券等を改札すると共に、プレーヤ７ａが自動改札本体部２ａを介して２次元コード情報Ｄ２及び広告情報Ｄ３をＩＣカード３に送信する。プレーヤ７ａは、２次元コード情報Ｄ２及び広告情報Ｄ３をＩＣカード３に送信した時刻や回数等をログとして記録しておく。そして、プレーヤ７ａは、当該プレーヤ７ａが記録したログをまとめてサーバ１３に送信する。これにより、どの時間帯にどれだけの回数２次元コード情報Ｄ２及び広告情報Ｄ３が送信されたかがわかる。
【００２３】
一方、Ａ駅北口に設置される自動改札機１０Ｂは、前述の広告情報Ｄ３に記憶される宣伝場所の駅名を示すデータに「Ａ駅南口」というデータが含まれる場合には、２次元コード情報Ｄ２及び広告情報Ｄ３が受信されない。宣伝場所の駅名を示すデータに「Ａ駅北口」というデータが広告情報Ｄ３に含まれる場合には、自動改札機１０Ｂは、２次元コード情報Ｄ２及び広告情報Ｄ３を受信する。前述のように、自動改札機１０Ｂは、ＩＣカード３が自動改札本体部に接近されたときに、２次元コード情報Ｄ２及び広告情報Ｄ３を当該ＩＣカード３に出力する。また、Ｃ駅に設置される自動改札機１０Ｃ及びＤ駅に設置される自動改札機１０Ｄについても、広告情報Ｄ３に記憶される宣伝場所の駅名を示すデータに「Ｃ駅」や「Ｄ駅」というデータが含まれる場合には、同様な動作でＩＣカード３に２次元コード情報Ｄ２及び広告情報Ｄ３が送信される。
【００２４】
ＩＣカード３には表示部の一例である電子ペーパー３４が設けられる。電子ペーパー３４は、電源がＯＦＦになっても表示した画像が保持される電子ディスプレイである。なお、表示部は液晶ディスプレイであってもよい。２次元コード情報Ｄ２及び広告情報Ｄ３が自動改札本体部２ａから送信されると、ＩＣカード３は、２次元コード情報Ｄ２及び広告情報Ｄ３を受信する。ＩＣカード３は、受信した２次元コード情報Ｄ２に基づく２次元コードと広告情報Ｄ３に基づく店舗の広告を電子ペーパー３４に表示させる。２次元コードには、例えば、店舗に関連したホームページのＵＲＬが格納される。
【００２５】
ＩＣカード３内のメモリ容量は小さいので、例えば、Ｗｅｂ広告等のようなデータ量が大きな情報が格納できない。また、ＩＣカード３表面の電子ペーパー３４の面積も小さいので、データ量の大きな情報を表示することができない。しかしながら、本実施の形態に係る情報提供システム１００は、電子ペーパー３４に表示された２次元コード及び店舗の広告をユーザに閲覧させることで、２次元コード情報Ｄ２及び広告情報Ｄ３がＩＣカード３に受信されたか否かを確認できる。ユーザが店舗の広告に関連したホームページ情報Ｄ１の取得を希望するときには、電子ペーパー３４に表示された２次元コードを、例えば、２次元コードが読み取り可能な読取装置であるカメラ付き携帯端末装置４によって読み取る。これにより、店舗の広告に関連したホームページのＵＲＬが取得でき、該取得したＵＲＬに基づいてホームページ情報Ｄ１を取得できるようになる。ユーザが店舗の広告に関連したホームページ情報Ｄ１の取得を希望しないときには、電子ペーパー３４に表示された２次元コードを読み取らずに放置すればよい。
【００２６】
このように、第１の実施の形態に係る情報提供システム１００によれば、電子ペーパー３４の閲覧によって２次元コード情報Ｄ２及び広告情報Ｄ３が受信されたか否かを確認できるようになる。この結果、ユーザはホームページ情報Ｄ１が必要か否かを判断でき、そのホームページ情報Ｄ１が必要であれば、情報提供システム１００は、ホームページ情報Ｄ１の取得を誘導して、より詳細な情報を有するホームページへアクセスさせることができる。この結果、当該店舗の広告効果を高めることができる。
【００２７】
また、従来では、ＩＣカードに格納されたＵＲＬを読み出すには専用のリーダが必要であった。本実施の形態に係る情報提供システム１００では、２次元コードが読み取り可能な汎用のリーダであるカメラ付き携帯端末装置４によって２次元コードを読み取ることができるので、ＵＲＬを簡単に取得できるようになる。これにより、所望のホームページに安価にアクセスすることができる。
【００２８】
＜第２の実施の形態＞  
本実施の形態では、プレーヤが自動改札本体部に含まれた情報提供システム１００Ａについて説明する。前述の実施の形態と同じ名称及び符号のものは同じ機能を有するので、その説明を省略する。
［情報提供システム１００Ａの構成例］  
図２に示すように、本実施の形態に係る情報提供システム１００Ａは、自動改札機２及びＩＣカード３で構成される。さらに、情報提供システム１００Ａは、サーバ１を備える。前述の第１の実施の形態で説明したプレーヤは自動改札機２内に設けられる。
【００２９】
サーバ１は、前述のサーバ１３と同様にホームページ情報Ｄ１、２次元コード情報Ｄ２及び広告情報Ｄ３を記憶する。
【００３０】
サーバ１には自動改札機２が接続される。サーバ１と自動改札機２との間には、例えば、図３で後述するネットワーク５０が接続される。サーバ１と自動改札機２との接続は、ネットワーク５０の代わりに専用の回線等の用いても構わない。
【００３１】
自動改札機２は、駅構内に設置され、切符や定期乗車券等を改札するものである。自動改札機２は、サーバ１に記憶された２次元コード情報Ｄ２及び広告情報Ｄ３を受信する。自動改札機２は、サーバ１より受信した２次元コード情報Ｄ２及び広告情報Ｄ３を図３で後述するＲＡＭ２２に記憶しておく。
【００３２】
自動改札機２には受信部２６及び送信部２７が設けられる。受信部２６は、ＩＣカード３から送信された列車の乗車時刻、乗車駅等の乗車情報を受信する。送信部２７は、ＲＡＭ２２に記憶された２次元コード情報Ｄ２及び広告情報Ｄ３等をＩＣカード３に送信する。例えば、利用者が自動改札機２を通過する際に、ＩＣカード３を受信部２６に接近させる。すると、ＩＣカード３に記憶される乗車情報が送信され、その送信された乗車情報が受信部２６によって受信される。送信部２７は、受信部２６によって乗車情報が受信されると、２次元コード情報Ｄ２及び広告情報Ｄ３をＩＣカード３に送信する。
【００３３】
ＩＣカード３には電子ペーパー３４が設けられる。２次元コード情報Ｄ２及び広告情報Ｄ３が送信されると、ＩＣカード３は、２次元コード情報Ｄ２及び広告情報Ｄ３を受信する。ＩＣカード３は、受信された２次元コード情報Ｄ２に基づく２次元コードと広告情報Ｄ３に基づく店舗の広告を電子ペーパー３４に表示させる。
【００３４】
ユーザは、２次元コード情報Ｄ２及び広告情報Ｄ３がＩＣカード３に受信されたか否かを電子ペーパー３４に表示された２次元コード及び店舗の広告を閲覧することで確認できる。ユーザが店舗の広告に関連したホームページ情報Ｄ１の取得を希望するときには、電子ペーパー３４に表示された２次元コードを、例えば、２次元コードが読み取り可能な読取装置であるカメラ付き携帯端末装置４によって読み取る。これにより、店舗の広告に関連したホームページのＵＲＬが取得でき、該取得したＵＲＬに基づいてサーバ１に格納されるホームページ情報Ｄ１を当該サーバ１から取得できるようになる。ユーザが店舗の広告に関連したホームページ情報Ｄ１の取得を希望しないときには、電子ペーパー３４に表示された２次元コードを読み取らずに放置すればよい。
【００３５】
これにより、電子ペーパー３４の閲覧によって２次元コード情報Ｄ２及び広告情報Ｄ３が受信されたか否かを確認できるようになる。この結果、ユーザはホームページ情報Ｄ１が必要か否かを判断でき、そのホームページ情報Ｄ１が必要であれば、情報提供システム１００Ａは、ホームページ情報Ｄ１の取得を誘導して、サーバ１に格納されるホームページへアクセスさせることができる。
【００３６】
［自動改札機２の構成例］  
次に、自動改札機２の構成例について説明する。図３に示すように、自動改札機２は、ＣＰＵ２１、ＲＡＭ２２、ＲＯＭ２３、乗車券処理部２４、表示部２５、受信部２６、送信部２７及びＩ／Ｏ２８で構成される。ＣＰＵ２１、ＲＡＭ２２及びＲＯＭ２３等が前述の第１の実施の形態で説明したプレーヤの機能を有している。ＣＰＵ２１、ＲＡＭ２２、ＲＯＭ２３、乗車券処理部２４、表示部２５、受信部２６、送信部２７及びＩ／Ｏ２８は、それぞれシステムバス２９に接続される。
【００３７】
乗車券処理部２４は、磁気式の乗車券（切符や定期乗車券）に乗車情報等の書き込み、読み込みを行う。表示部２５は、受信部２６にＩＣカード３が接近されて自動改札機２をユーザが通過する際に、ＩＣカード３に格納されるカード情報を表示する。カード情報は、例えば、定期乗車券の有効期限やＩＣカード３にチャージされている電子マネーの金額等である。表示部２５は、液晶ディスプレイ、プラズマディスプレイ、エレクトロルミネッセンスディスプレイ等のいずれかで構成される。
【００３８】
受信部２６は、ＩＣカード３から出力される当該ＩＣカード３に格納される上述のカード情報を受信する。Ｉ／Ｏ２８は、自動改札機２とサーバ１とをネットワーク５０を介して接続させるインターフェースである。サーバ１は、Ｉ／Ｏ２８を介して自動改札機２に２次元コード情報Ｄ２及び広告情報Ｄ３を提供する。
【００３９】
ＲＡＭ２２は、サーバ１から提供された２次元コード情報Ｄ２、広告情報Ｄ３を記憶する。また、ＲＡＭ２２は、受信部２６で受信した乗車情報等を記憶する。送信部２７は、ＲＡＭ２２に記憶された２次元コード情報Ｄ２、広告情報Ｄ３及び乗車情報等を、例えば、１３．５６ＭＨｚの周波数を有する電磁波でＩＣカード３に送信する。ＲＯＭ２３は、自動改札機２の動作プログラム等を記憶する。
【００４０】
ＣＰＵ２１は、ＲＡＭ２２、ＲＯＭ２３、乗車券処理部２４、表示部２５、受信部２６及び送信部２７を制御して自動改札機２を動作させる。例えば、ＣＰＵ２１は、ＲＯＭ２３に記憶される動作プログラムを読み出して、自動改札機２を動作させる。また、ＣＰＵ２１は、受信部２６で受信したＩＣカード３のカード情報を表示部２５に表示させる。ＣＰＵ２１は、サーバ１から提供された２次元コード情報Ｄ２及び広告情報Ｄ３をＲＡＭ２２に記憶させ、受信部２６によってカード情報の受信を検知したら、２次元コード情報Ｄ２及び広告情報Ｄ３を送信部２７に出力する。
【００４１】
［ＩＣカード３の構成例及び表示例］  
次に、ＩＣカード３の構成例について説明する。図４に示すように、ＩＣカード３は、ＣＰＵ３１、ＲＡＭ３２、受信部３３及び電子ペーパー３４で構成される。ＣＰＵ３１、ＲＡＭ３２、受信部３３及び電子ペーパー３４は、それぞれシステムバス３９に接続される。
【００４２】
受信部３３は、自動改札機２の送信部２７によって送信された２次元コード情報Ｄ２及び広告情報Ｄ３を受信する。受信部３３は、図示しないコイル型のアンテナを有しており、自動改札機２の送信部２７によって送信される１３．５６ＭＨｚの周波数を有する電磁波を当該アンテナで受信して電源とする。これにより、ＩＣカード３は電池等の電源部材が不要となる。
【００４３】
ＲＡＭ３２は、受信部３３によって受信された２次元コード情報Ｄ２及び広告情報Ｄ３を記憶する。ＲＡＭ３２は、２次元コード情報Ｄ２及び広告情報Ｄ３を受信する度に、当該２次元コード情報Ｄ２及び広告情報Ｄ３が書き換えられてもよいし、複数の２次元コード情報Ｄ２及び広告情報Ｄ３が記憶されてもよい。２次元コード情報Ｄ２及び広告情報Ｄ３を受信する度に当該２次元コード情報Ｄ２及び広告情報Ｄ３を書き換える場合には、ＲＡＭ３２を小さくできるので、ＩＣカード３の製造コストを低減できる。また、複数の２次元コード情報Ｄ２及び広告情報Ｄ３を記憶する場合には、前回や前々回等の過去に受信した２次元コード情報Ｄ２及び広告情報Ｄ３を電子ペーパー３４によって閲覧することができる。
【００４４】
電子ペーパー３４は、ＲＡＭ３２に記憶された２次元コード情報Ｄ２及び広告情報Ｄ３を２次元コード及び店舗の広告として表示する。図５に示すように、ＩＣカード３を構成する電子ペーパー３４は、２次元コード領域３４ａ及び広告領域３４ｂを有する。２次元コード領域３４ａには２次元コード情報Ｄ２に基づく２次元コードが表示され、広告領域３４ｂには広告情報Ｄ３に基づく店舗の広告が表示される。例えば、２次元コード領域３４ａには、図５ではＱＲコードと称される２次元コードが表示され、広告領域３４ｂには、「１０％ＯＦＦ  ＳＡＬＥ  実施中！  ○△商店  ＴＥＬ：０３−３□□□−□□□□」のような店舗の広告が表示される。あるいは、２次元コード情報Ｄ２をビットマップ等の画像データとして広告情報Ｄ３に組み込んで一体化した広告画像情報を電子ペーパー３が受信するようにしてもよい。例えば、自動改札機２がＩＣカード３に広告画像情報を送信し、ＩＣカード３が広告画像情報を受信して、電子ペーパー３４に２次元コード及び店舗の広告を表示させる。これにより、上述の２次元コード領域３４ａや広告領域３４ｂを規定せずに、電子ペーパー３４上の所望の領域に２次元コード及び店舗の広告を表示できる。
【００４５】
図４に戻って、ＣＰＵ３１は、ＲＡＭ３２、受信部３３及び電子ペーパー３４の制御を行う。ＣＰＵ３１は、受信部３３で受信された２次元コード情報Ｄ２及び広告情報Ｄ３をＲＡＭ３２に記憶させる。ＣＰＵ３１は、ＲＡＭ３２に記憶させた２次元コード情報Ｄ２及び広告情報Ｄ３を電子ペーパー３４に出力して、電子ペーパー３４に２次元コード情報Ｄ２及び広告情報Ｄ３を２次元コード及び店舗の広告として表示させる。
【００４６】
これにより、ユーザは、２次元コード情報Ｄ２及び広告情報Ｄ３がＩＣカード３に受信されたことを電子ペーパー３４に表示された２次元コード及び店舗の広告によって確認できる。また、ユーザは、２次元コード情報Ｄ２を電子ペーパー３４に表示された２次元コードとして、カメラ付き携帯端末装置４によって読み取り、２次元コードに格納されるＵＲＬよりサーバ１に記憶されるホームページ情報Ｄ１を取得することができる。つまり、ＩＣカード３に大容量の記憶手段を設けなくても、電子ペーパー３４に表示された２次元コードでサーバ１に記憶された記憶容量の大きいホームページ情報Ｄ１の取得を誘導できる。この結果、非常に安価で大容量の情報を取得できる情報提供システムを提供することができる。
【００４７】
［自動改札機２の動作例］  
次に、自動改札機２の動作例についてフローチャートを用いて説明する。図６に示すように、ステップＳＴ１で、自動改札機２は、サーバ１から新規の２次元コード情報Ｄ２及び広告情報Ｄ３が提供されたか否かを判断する。新規の２次元コード情報Ｄ２及び広告情報Ｄ３は、例えば、駅近くの店舗に関する情報であって、所定の時刻に毎日更新されてもよいし、安売りセール等がある日に更新されてもよい。新規の２次元コード情報Ｄ２及び広告情報Ｄ３が提供されていない場合、ステップＳＴ１にて新規の２次元コード情報Ｄ２及び広告情報Ｄ３がサーバ１から提供されたか否かを監視し続ける。新規の２次元コード情報Ｄ２及び広告情報Ｄ３が提供された場合、ステップＳＴ２に移行する。
【００４８】
ステップＳＴ２では、自動改札機２は、サーバ１から２次元コード情報Ｄ２及び広告情報Ｄ３を受信する。２次元コード情報Ｄ２及び広告情報Ｄ３は、サーバ１からネットワーク５０を介して自動改札機２を構成するＩ／Ｏ２８に出力される。
【００４９】
ステップＳＴ３に移行して、自動改札機２を構成するＣＰＵ２１は、Ｉ／Ｏ２８に出力された２次元コード情報Ｄ２及び広告情報Ｄ３をＲＡＭ２２に記憶させる。ＣＰＵ２１は、ＲＡＭ２２が記憶する２次元コード情報Ｄ２及び広告情報Ｄ３が前回と同じ店舗に関する情報の場合、前回にサーバ１から提供された２次元コード情報Ｄ２及び広告情報Ｄ３を削除する。そして、ＣＰＵ２１は、今回サーバ１から提供された２次元コード情報Ｄ２及び広告情報Ｄ３をＲＡＭ２２に記憶させる。これにより、古い情報をユーザに出力することを防止できる。
【００５０】
ステップＳＴ４に移行して、ＩＣカード３が自動改札機２の受信部２６に接近すると、ＣＰＵ２１は、ＩＣカード３に格納されるカード情報を受信部２６で受信して、受信したカード情報をＲＡＭ２２に記憶させる。このカード情報は、適宜、表示部２５に表示される。ＣＰＵ２１は、カード情報を受信すると、ＲＡＭ２２に記憶された２次元コード情報Ｄ２及び広告情報Ｄ３を送信部２７よりＩＣカード３に、例えば、１３．５６ＭＨｚの電磁波で送信する。
【００５１】
［ＩＣカード３の動作例］  
次に、ＩＣカード３の動作例についてフローチャートを用いて説明する。図７に示すように、ステップＳＴ１１で、ＩＣカード３は、自動改札機２の送信部２７から１３．５６ＭＨｚの電磁波で送信された２次元コード情報Ｄ２及び広告情報Ｄ３を受信部３３によって受信する。
【００５２】
ステップＳＴ１２に移行して、ＩＣカード３を構成するＣＰＵ３１は、受信部３３によって受信された２次元コード情報Ｄ２及び広告情報Ｄ３をＲＡＭ３２に記憶させる。
【００５３】
ステップＳＴ１３に移行して、ＣＰＵ３１は、ＲＡＭ３２に記憶された２次元コード情報Ｄ２及び広告情報Ｄ３を２次元コード及び店舗の広告として電子ペーパー３４に表示させる。電子ペーパー３４は、前回に表示された２次元コード及び店舗の広告を消去して、今回ＣＰＵによって出力された２次元コード情報Ｄ２及び広告情報Ｄ３を２次元コード及び店舗の広告として表示させる。これにより、ＩＣカード３は、自動改札機２を通過する度に常に新規の２次元コード及び店舗の広告を電子ペーパー３４に表示できる。
【００５４】
［ホームページ情報Ｄ１の取得例］  
次に、サーバ１に記憶されるホームページ情報Ｄ１の取得例についてフローチャートを用いて説明する。図８に示すように、ステップＳＴ２１では、ユーザは、ＩＣカード３の電子ペーパー３４に表示された２次元コードをカメラ付き携帯端末装置４によって読み取る。
【００５５】
ステップＳＴ２２に移行して、カメラ付き携帯端末装置４で読み取った２次元コードに格納されているＵＲＬがカメラ付き携帯端末装置４のディスプレイに表示される。
【００５６】
ステップＳＴ２３に移行して、ユーザは、カメラ付き携帯端末装置４のディスプレイに表示されたＵＲＬのホームページ情報Ｄ１を取得するか否かを判断する。ホームページ情報Ｄ１を取得する場合には、ステップＳＴ２４に移行する。ホームページ情報Ｄ１を取得しない場合には、ステップＳＴ２６に移行して、カメラ付き携帯端末装置４は、当該カメラ付き携帯端末装置４のディスプレイに表示されたＵＲＬを削除する。
【００５７】
ステップＳＴ２４では、カメラ付き携帯端末装置４のディスプレイに表示されたＵＲＬのホームページ情報Ｄ１に基づくホームページに誘導され、ステップＳＴ２５に移行して、ホームページ情報Ｄ１が取得される。
【００５８】
このように、第２の実施の形態に係る情報提供システム１００Ａによれば、自動改札機２は、ホームページ情報Ｄ１の取得を誘導する２次元コード情報Ｄ２及びホームページ情報Ｄ１に関連した広告情報Ｄ３を無線で発信する。ＩＣカード３は、自動改札機２によって発信された２次元コード情報Ｄ２及び広告情報Ｄ３を受信して電子ペーパー３４に表示する。
【００５９】
これにより、２次元コード情報Ｄ２及び広告情報Ｄ３が受信されたか否かをユーザが確認できるようになる。この結果、ユーザは、広告情報Ｄ３を閲覧して、この広告情報Ｄ３に関連したホームページ情報Ｄ１が必要か否かを判断できる。ホームページ情報Ｄ１が必要であれば、カメラ付き携帯端末装置４で２次元コードを読み取ることで、サーバ１に記憶されたホームページ情報Ｄ１を取得できる。
【００６０】
この結果、情報提供システム１００Ａは、２次元コードを表示してホームページ情報の取得を誘導できるので、不要な情報をユーザに与えず、ユーザが必要となる情報を提供できる。
【００６１】
なお、本実施の形態では、受信表示部材の一例としてＩＣカード３を説明したが、自動改札機２と通信が可能な携帯端末装置でもよい。これにより、電子ペーパー３４に表示された２次元コードをカメラ付き携帯端末装置４で撮影することなく、瞬時にＵＲＬを取得でき、ホームページ情報Ｄ１を取得できる。また、カメラ付き携帯端末装置４からサーバ１にアクセスしてホームページ情報Ｄ１を取得する説明をしたが、本発明に係る情報提供システムは、カメラ付き携帯端末装置に限定されるものではない。
【００６２】
＜第３の実施の形態＞  
本実施の形態では、利用者情報を使用する情報提供システム１００Ｂについて説明する。前述の実施の形態と同じ名称及び符号のものは同じ機能を有するので、その説明を省略する。
【００６３】
［情報提供システム１００Ｂの構成例］  
図９に示すように、情報提供システム１００Ｂは、自動改札機２Ｂ及びＩＣカード３Ｂで構成される。さらに、情報提供システム１００Ｂは、サーバ１Ｂを備える。
【００６４】
サーバ１Ｂは、ホームページ情報Ｄ１、２次元コード情報Ｄ２、広告情報Ｄ３及び利用者情報Ｄ４ａを記憶する。利用者情報Ｄ４ａは、利用者に関連する情報であり、例えば、ホームページ情報Ｄ１の閲覧対象である利用者の年齢、性別、趣味等に関する情報である。例えば、ホームページ情報Ｄ１が酒屋のホームページであると、利用者情報Ｄ４ａには年齢が２０歳以上という情報が含まれる。また、ホームページ情報Ｄ１がアクセサリ店のホームページであると、利用者情報Ｄ４ａには性別が女性という情報が含まれる。利用者情報Ｄ４ａは、適宜、利用者の年齢、性別、趣味等を設定可能である。
【００６５】
サーバ１Ｂには自動改札機２Ｂが接続される。自動改札機２Ｂは、サーバ１Ｂに記憶された２次元コード情報Ｄ２、広告情報Ｄ３及び利用者情報Ｄ４ａを受信する。サーバ１Ｂより受信した２次元コード情報Ｄ２、広告情報Ｄ３及び利用者情報Ｄ４ａを図１０で後述するＲＡＭ２２に記憶しておく。
【００６６】
自動改札機２Ｂには受信部２６Ｂ及び送信部２７が設けられる。受信部２６Ｂは、ＩＣカード３Ｂから送信される乗車情報及び利用者情報Ｄ４ｂを受信する。利用者情報Ｄ４ｂは、前述の利用者情報Ｄ４ａと同様に、利用者に関する情報である。利用者情報Ｄ４ｂは、ＩＣカード３Ｂに予め記憶される。送信部２７は、ＲＡＭ２２に記憶された２次元コード情報Ｄ２及び広告情報Ｄ３等をＩＣカード３Ｂに送信する。例えば、利用者が自動改札機２Ｂを通過する際に、ＩＣカード３Ｂが受信部２６Ｂに接近すると、ＩＣカード３Ｂに記憶される乗車情報及び利用者情報Ｄ４ｂが送信され、その送信された乗車情報及び利用者情報Ｄ４ｂが受信部２６Ｂによって受信される。
【００６７】
図１０で後述する判断部３０は、受信した利用者情報Ｄ４ｂがＲＡＭ２２に記憶された利用者情報Ｄ４ａに一致するか否かを判断し、利用者情報Ｄ４ａ，Ｄ４ｂが一致すると、送信部２７は、２次元コード情報Ｄ２及び広告情報Ｄ３をＩＣカード３Ｂに送信する。利用者情報Ｄ４ａ，Ｄ４ｂが一致しなければ、送信部２７は、２次元コード情報Ｄ２及び広告情報Ｄ３をＩＣカード３Ｂに送信しない。
【００６８】
２次元コード情報Ｄ２及び広告情報Ｄ３が送信されると、ＩＣカード３Ｂは、２次元コード情報Ｄ２及び広告情報Ｄ３を受信して、２次元コード情報Ｄ２に基づく２次元コードと広告情報Ｄ３に基づく店舗の広告を電子ペーパー３４に表示させる。
【００６９】
ユーザは、２次元コード情報Ｄ２及び広告情報Ｄ３がＩＣカード３Ｂに受信されたか否かを電子ペーパー３４に表示された２次元コード及び店舗の広告を閲覧することで確認できる。ユーザが店舗の広告に関連したホームページ情報Ｄ１の取得を希望するときには、電子ペーパー３４に表示された２次元コードをカメラ付き携帯端末装置４によって読み取る。これにより、店舗の広告に関連したホームページのＵＲＬが取得でき、該取得したＵＲＬに基づいて店舗のホームページ情報Ｄ１を取得できるようになる。ユーザが店舗の広告に関連したホームページ情報Ｄ１の取得を希望しないときには、電子ペーパー３４に表示された２次元コードを読み取らずに放置すればよい。
【００７０】
このように、情報提供システム１００Ｂは、自動改札機２Ｂに記憶される利用者情報Ｄ４ａとＩＣカード３Ｂに記憶される利用者情報Ｄ４ｂとが一致したときに、２次元コード情報Ｄ２及び広告情報Ｄ３が自動改札機２ＢからＩＣカード３Ｂへ送信される。この結果、ユーザの年齢、性別、趣味等に適した情報をユーザに提供することができる。
【００７１】
［自動改札機２Ｂの構成例］  
次に、自動改札機２Ｂの構成例について説明する。図１０に示すように、自動改札機２Ｂは、ＣＰＵ２１Ｂ、ＲＡＭ２２、ＲＯＭ２３、乗車券処理部２４、表示部２５、受信部２６Ｂ、送信部２７及びＩ／Ｏ２８で構成される。ＣＰＵ２１Ｂ、ＲＡＭ２２、ＲＯＭ２３、乗車券処理部２４、表示部２５、受信部２６Ｂ、送信部２７及びＩ／Ｏ２８は、それぞれシステムバス２９によって接続される。
【００７２】
受信部２６Ｂは、ＩＣカード３Ｂから出力される上述の利用者情報Ｄ４ｂを受信する。ＲＡＭ２２は、サーバ１Ｂから提供された２次元コード情報Ｄ２、広告情報Ｄ３及び利用者情報Ｄ４ａを記憶する。また、ＲＡＭ２２は、受信部２６Ｂで受信した乗車情報及び利用者情報Ｄ４ｂを記憶する。
【００７３】
ＣＰＵ２１Ｂには判断部３０が設けられる。判断部３０は、サーバ１Ｂから提供されてＲＡＭ２２に記憶された利用者情報Ｄ４ａと、ＩＣカード３Ｂから送信された利用者情報Ｄ４ｂとを比較して、利用者情報Ｄ４ａ，Ｄ４ｂが一致するか否かを判断する。利用者情報Ｄ４ａ，Ｄ４ｂが一致すると、ＣＰＵ２１Ｂは、ＲＡＭ２２に記憶された２次元コード情報Ｄ２及び広告情報Ｄ３を送信部２７に出力する。送信部２７は、ＩＣカード３Ｂに２次元コード情報Ｄ２及び広告情報Ｄ３を送信する。
【００７４】
［ＩＣカード３Ｂの構成例］  
次に、ＩＣカード３Ｂの構成例について説明する。図１１に示すように、ＩＣカード３Ｂは、ＣＰＵ３１、ＲＡＭ３２、受信部３３、電子ペーパー３４及び送信部３５で構成される。ＣＰＵ３１、ＲＡＭ３２、受信部３３、電子ペーパー３４及び送信部３５は、それぞれシステムバス３９に接続される。
【００７５】
ＲＡＭ３２には乗車情報及び利用者情報Ｄ４ｂ等が記憶される。利用者情報Ｄ４ｂは、ユーザの個人情報であり、例えば、ユーザの、年齢が２５歳、性別が男性、趣味が読書である場合、利用者情報Ｄ４ｂに「年齢：２５歳」、「性別：男性」、「趣味：読書」のような情報が含まれる。送信部３５は、ＲＡＭ３２に記憶される利用者情報Ｄ４ｂを自動改札機２Ｂの受信部２６Ｂに送信する。
【００７６】
［自動改札機２Ｂの動作例］  
次に、自動改札機２Ｂの動作例についてフローチャートを用いて説明する。図１２に示すように、ステップＳＴ３１で、自動改札機２Ｂは、サーバ１Ｂから新規の２次元コード情報Ｄ２、広告情報Ｄ３及び利用者情報Ｄ４ａが提供されたか否かを判断する。新規の２次元コード情報Ｄ２、広告情報Ｄ３及び利用者情報Ｄ４ａは、例えば、駅近くの店舗に関する情報である。新規の２次元コード情報Ｄ２、広告情報Ｄ３及び利用者情報Ｄ４ａが提供されていない場合、ステップＳＴ３１にて新規の２次元コード情報Ｄ２、広告情報Ｄ３及び利用者情報Ｄ４ａがサーバ１Ｂから提供されたかを監視し続ける。新規の２次元コード情報Ｄ２、広告情報Ｄ３及び利用者情報Ｄ４ａが提供された場合、ステップＳＴ３２に移行する。
【００７７】
ステップＳＴ３２では、自動改札機２Ｂは、サーバ１Ｂから２次元コード情報Ｄ２、広告情報Ｄ３及び利用者情報Ｄ４ａを受信する。２次元コード情報Ｄ２、広告情報Ｄ３及び利用者情報Ｄ４ａは、サーバ１Ｂからネットワーク５０を介して自動改札機２Ｂを構成するＩ／Ｏ２８に出力される。
【００７８】
ステップＳＴ３３に移行して、自動改札機２Ｂを構成するＣＰＵ２１Ｂは、Ｉ／Ｏ２８に出力された２次元コード情報Ｄ２、広告情報Ｄ３及び利用者情報Ｄ４ａをＲＡＭ２２に記憶させる。
【００７９】
ステップＳＴ３４に移行して、自動改札機２Ｂは、ＩＣカード３Ｂから利用者情報Ｄ４ｂが受信されたか否かを判断する。自動改札機２Ｂは、利用者情報Ｄ４ｂが受信された場合、ステップＳＴ３５に移行し、利用者情報Ｄ４ｂが受信されない場合、利用者情報Ｄ４ｂの受信を監視し続ける。
【００８０】
ステップＳＴ３５では、自動改札機２Ｂを構成する判断部３０は、サーバ１Ｂから提供されＲＡＭ２２に記憶された利用者情報Ｄ４ａと、ＩＣカード３Ｂから送信された利用者情報Ｄ４ｂとが一致するか否かを判断する。利用者情報Ｄ４ａ，Ｄ４ｂが一致する場合には、ステップＳＴ３６に移行し、自動改札機２Ｂは、２次元コード情報Ｄ２及び広告情報Ｄ３をＩＣカード３Ｂに送信する。利用者情報Ｄ４ａ，Ｄ４ｂが一致しない場合には、自動改札機２Ｂは、２次元コード情報Ｄ２及び広告情報をＩＣカード３Ｂに送信しない。例えば、広告情報Ｄ３は本屋に関する情報であり、利用者情報Ｄ４ａは「趣味：読書」のような情報が含まれる。ＩＣカード３Ａから送信された利用者情報Ｄ４ｂに、「年齢：２５歳」、「性別：男性」、「趣味：読書」のような情報が含まれていると、利用者情報Ｄ４ａ，Ｄ４ｂの「趣味：読書」が一致する。このため、自動改札機２ＢからＩＣカード３Ｂに２次元コード情報Ｄ２及び広告情報Ｄ３が送信される。
【００８１】
［ＩＣカード３Ｂの動作例］  
次に、ＩＣカード３Ｂの動作例についてフローチャートを用いて説明する。図１３に示すように、ステップＳＴ４１で、ＩＣカード３Ｂは、当該ＩＣカード３Ｂを構成する送信部３５で自動改札機２Ｂへ利用者情報Ｄ４ｂを送信する。
【００８２】
ステップＳＴ４２移行して、ＩＣカード３Ｂは、利用者情報Ｄ４ｂが上述の自動改札機２Ｂの判断部３０によって利用者情報Ｄ４ａと一致すると判断する。すると、ＩＣカード３Ｂは、自動改札機２Ｂの送信部２７から送信された２次元コード情報Ｄ２及び広告情報Ｄ３を受信部３３によって受信する。
【００８３】
ステップＳＴ４３に移行して、ＩＣカード３Ｂを構成するＣＰＵ３１は、受信部３３によって受信された２次元コード情報Ｄ２及び広告情報Ｄ３をＲＡＭ３２に記憶させる。
【００８４】
ステップＳＴ４４に移行して、ＣＰＵ３１は、ＲＡＭ３２に記憶された２次元コード情報Ｄ２及び広告情報Ｄ３を２次元コード及び店舗の広告として電子ペーパー３４に表示させる。
【００８５】
このように、第３の実施の形態に係る情報提供システム１００Ｂによれば、サーバ１Ｂから提供される利用者情報Ｄ４ａとＩＣカード３Ｂから送信される利用者情報Ｄ４ｂとが一致したときに、自動改札機２ＢからＩＣカード３Ｂに２次元コード情報及び広告情報Ｄ３が送信される。これにより、ユーザの嗜好にあったホームページ情報Ｄ１が取得できる。
【００８６】
＜第４の実施の形態＞  
本実施の形態では、キャッシュレジスタ装置５で構成される情報提供システム１００Ｃについて説明する。前述の実施の形態と同じ名称及び符号のものは同じ機能を有するので、その説明を省略する。
【００８７】
［情報提供システム１００Ｃの構成例］  
図１４に示すように、情報提供システム１００Ｃは、情報発信装置の一例であるキャッシュレジスタ装置５及びＩＣカード３で構成される。さらに、情報提供システム１００Ｃは、サーバ１Ｃを備える。サーバ１Ｃは、ホームページ情報Ｄ１及び２次元コード情報Ｄ２を記憶する。
【００８８】
サーバ１Ｃにはキャッシュレジスタ装置５が接続される。サーバ１Ｃとキャッシュレジスタ装置５との間には、例えば、ネットワーク５０が接続される。サーバ１Ｃとキャッシュレジスタ装置５との接続は、ネットワーク５０の代わりに専用の回線等の用いても構わない。
【００８９】
キャッシュレジスタ装置５は、例えば、スーパーマーケットや百貨店、コンビニエンスストア、駅の売店等に設けられ、現金の処理等を行うものである。キャッシュレジスタ装置５は、サーバ１Ｃに記憶された２次元コード情報Ｄ２を受信する。また、キャッシュレジスタ装置５は、例えば品物の会計時に、品物情報Ｄ５を受信する。品物情報Ｄ５は、品物に関する情報であり、例えば、当該品物の値段や消費期限、製造元等の情報である。キャッシュレジスタ装置５は、サーバ１Ｃより受信した２次元コード情報Ｄ２と、例えば、ユーザが品物を購入する会計時に受信される品物情報Ｄ５とを図１５で後述するＲＡＭ５２に記憶しておく。
【００９０】
キャッシュレジスタ装置５には受信部５６及び送信部５７が設けられる。受信部５６は、ＩＣカード３から送信された電子マネー等を受信する。送信部５７は、ＲＡＭ５２に記憶された２次元コード情報Ｄ２及び品物情報Ｄ５等をＩＣカード３に送信する。例えば、ユーザが品物を購入する際に、電子マネーがチャージされたＩＣカード３を受信部５６に接近させると、ＩＣカード３に記憶される電子マネーが送信され、その送信された電子マネーが受信部５６によって受信される。送信部５７は、受信部５６によって電子マネーが受信されると２次元コード情報Ｄ２及び品物情報Ｄ５をＩＣカード３に送信する。２次元コード情報Ｄ２及び品物情報Ｄ５は、購入した品物に関連するものである。
【００９１】
ＩＣカード３には電子ペーパー３４が設けられる。２次元コード情報Ｄ２及び品物情報Ｄ５が送信されると、ＩＣカード３は、２次元コード情報Ｄ２及び品物情報Ｄ５を受信して、２次元コード情報Ｄ２に基づく２次元コードと品物情報Ｄ５に基づく品物の値段や消費期限、製造元等を電子ペーパー３４に表示させる。２次元コードには、例えば、購入される品物の製造元のホームページのＵＲＬが格納される。
【００９２】
ユーザは、２次元コード情報Ｄ２及び品物情報Ｄ５がＩＣカード３に受信されたか否かを電子ペーパー３４に表示された２次元コード及び品物の値段や消費期限、製造元を閲覧することで確認できる。ユーザが購入した品物の関連するホームページ情報の一例である製造元のホームページ情報Ｄ１の取得を希望するときには、電子ペーパー３４に表示された２次元コードをカメラ付き携帯端末装置４によって読み取る。これにより、購入した品物の製造元のホームページのＵＲＬが取得でき、該取得したＵＲＬに基づいてサーバ１Ｃに格納されるホームページ情報Ｄ１を取得できるようになる。品物の製造元のホームページ情報Ｄ１の取得を希望しないときには、電子ペーパー３４に表示された２次元コードを読み取らずに放置すればよい。
【００９３】
このように、電子ペーパー３４の閲覧によって２次元コード情報Ｄ２及び品物情報Ｄ５が受信されたか否かを確認できるようになる。この結果、ユーザはホームページ情報Ｄ１が必要か否かを判断でき、そのホームページ情報Ｄ１が必要であれば、情報提供システム１００Ｃは、ホームページ情報Ｄ１の取得を誘導して、サーバ１Ｃが格納するホームページへアクセスさせることができる。
【００９４】
［キャッシュレジスタ装置５の構成例］  
次に、キャッシュレジスタ装置５の構成例について説明する。図１５に示すように、キャッシュレジスタ装置５は、ＣＰＵ５１、ＲＡＭ５２、ＲＯＭ５３、現金処理部５４、表示部５５、受信部５６、送信部５７、Ｉ／Ｏ５８及び品物情報読取部６０で構成される。ＣＰＵ５１、ＲＡＭ５２、ＲＯＭ５３、現金処理部５４、表示部５５、受信部５６、送信部５７、Ｉ／Ｏ５８及び品物情報読取部６０は、それぞれシステムバス５９に接続される。
【００９５】
現金処理部５４は、購入した品物の値段や一日の売上げ、利益等を処理するものである。表示部５５は、受信部５６にＩＣカード３を接近させて当該ＩＣカード３に格納された電子マネーで品物を購入する際に、ＩＣカード３に格納されるカード情報を表示する。カード情報は、例えば、ＩＣカードにチャージされている電子マネーの金額等である。表示部５５は、液晶ディスプレイ、プラズマディスプレイ、エレクトロルミネッセンスディスプレイ、蛍光表示管等のいずれかで構成される。
【００９６】
品物情報読取部６０は、購入する品物に付与された２次元コードを読み取るものである。例えば、２次元コードは、品物のパッケージに印刷される。２次元コードには、品物情報Ｄ５が格納される。品物情報読取部６０は、例えば、２次元コードスキャナで構成されるものである。
【００９７】
受信部５６は、ＩＣカード３から出力される上述のカード情報を受信する。Ｉ／Ｏ５８は、キャッシュレジスタ装置５とサーバ１Ｃとをネットワーク５０を介して接続させるインターフェースである。サーバ１Ｃは、Ｉ／Ｏ５８を介してキャッシュレジスタ装置５に２次元コード情報Ｄ２を提供する。
【００９８】
ＲＡＭ５２は、サーバ１Ｃから提供された２次元コード情報Ｄ２を記憶する。また、ＲＡＭ５２は、受信部５６で受信したカード情報等及び品物情報読取部６０で読み取られた品物情報Ｄ５を記憶する。送信部５７は、ＲＡＭ５２に記憶された２次元コード情報Ｄ２及び品物情報Ｄ５をＩＣカード３に送信する。ＲＯＭ５３は、キャッシュレジスタ装置５の動作プログラム等を記憶する。
【００９９】
ＣＰＵ５１は、ＲＡＭ５２、ＲＯＭ５３、現金処理部５４、表示部５５、受信部５６、送信部５７及び品物情報読取部６０を制御してキャッシュレジスタ装置５を動作させる。例えば、ＣＰＵ５１は、ＲＯＭ５３に記憶される動作プログラムを読み出して、キャッシュレジスタ装置５を動作させる。また、ＣＰＵ５１は、受信部５６で受信したＩＣカード３のカード情報を表示部５５に表示させる。ＣＰＵ５１は、サーバ１Ｃから提供された２次元コード情報Ｄ２と品物情報読取部６０で読み取られた品物情報Ｄ５をＲＡＭ５２に記憶させ、受信部５６によってカード情報の受信を検知したら、２次元コード情報Ｄ２及び品物情報Ｄ５を送信部５７に出力する。
【０１００】
［キャッシュレジスタ装置５の動作例］  
次に、キャッシュレジスタ装置５の動作例についてフローチャートを用いて説明する。図１６に示すように、ステップＳＴ５１で、キャッシュレジスタ装置５は、サーバ１Ｃから新規の２次元コード情報Ｄ２が提供されたか否かを判断する。新規の２次元コード情報Ｄ２には、例えば、キャッシュレジスタ装置５を備える店舗が販売する品物の値段や消費期限、製造元等に関する文字情報が格納される。新規の２次元コード情報Ｄ２が提供されていない場合、ステップＳＴ５１にて新規の２次元コード情報Ｄ２がサーバ１Ｃから提供されたか否かを監視し続ける。新規の２次元コード情報Ｄ２が提供された場合、ステップＳＴ５２に移行する。
【０１０１】
ステップＳＴ５２では、キャッシュレジスタ装置５は、サーバ１Ｃから２次元コード情報Ｄ２を受信する。２次元コード情報Ｄ２は、サーバ１Ｃからネットワーク５０を介してキャッシュレジスタ装置５を構成するＩ／Ｏ５８に出力される。ステップＳＴ５３に移行して、キャッシュレジスタ装置５を構成するＣＰＵ５１は、Ｉ／Ｏ５８に出力された２次元コード情報Ｄ２をＲＡＭ５２に記憶させる。
【０１０２】
ステップＳＴ５４に移行して、ユーザが品物を購入する際に、品物情報読取部６０は、品物のパッケージに印刷される２次元コード等の品物情報Ｄ５を読み取る。ステップＳＴ５５に移行して、ＣＰＵ５１は、品物情報読取部６０が読み取った品物情報Ｄ５をＲＡＭ５２に記憶させる。
【０１０３】
ステップＳＴ５６に移行して、ＩＣカード３がキャッシュレジスタ装置５の受信部５６に接近すると、ＣＰＵ５１は、ＩＣカード３に格納されるカード情報を受信部５６で受信して、受信したカード情報をＲＡＭ５２に記憶させる。このカード情報は、適宜、表示部５５に表示される。ＣＰＵ５１は、カード情報を受信すると、ＲＡＭ５２に記憶された２次元コード情報Ｄ２及び品物情報Ｄ５を送信部５７よりＩＣカード３に送信する。
【０１０４】
ＩＣカード３は、キャッシュレジスタ装置５の送信部５７より送信された２次元コード情報Ｄ２及び品物情報Ｄ５を受信する。ＩＣカード３は、受信した２次元コード情報Ｄ２及び品物情報Ｄ５を２次元コード及び品物の値段や消費期限、製造元の文字として電子ペーパー３４に表示させる。
【０１０５】
このように、第４の実施の形態に係る情報提供システム１００Ｃによれば、２次元コード情報Ｄ２及び品物情報Ｄ５が受信されたか否かをユーザが確認できるようになる。この結果、ユーザは、品物情報Ｄ５を閲覧して、この品物情報Ｄ５に関連したホームページ情報Ｄ１が必要か否かを判断できる。ホームページ情報Ｄ１が必要であれば、カメラ付き携帯端末装置４で２次元コードを読み取ることで、サーバ１Ｃに記憶されたホームページ情報Ｄ１を取得できる。この結果、情報提供システム１００Ｃは、２次元コードを表示してホームページ情報の取得を誘導できるので、不要な情報をユーザに与えず、ユーザが必要となる情報を提供できる。
【符号の説明】
【０１０６】
１，１Ｂ，１Ｃ，１３，２０・・・サーバ（記憶装置）、２，２Ｂ，１０Ａ，１０Ｂ，１０Ｃ，１０Ｄ・・・自動改札機（情報発信装置）、３，３Ｂ・・・ＩＣカード（受信表示部材）、４・・・カメラ付き携帯端末装置、５・・・キャッシュレジスタ装置（受信表示部材）、１００，１００Ａ，１０Ｂ，１００Ｃ・・・情報提供システム、２１，２１Ｂ，３１，５１・・・ＣＰＵ、２２，３２，５２・・・ＲＡＭ、２３，５３・・・ＲＯＭ、２４・・・乗車券処理部、２５，５５・・・表示部、２６，２６Ｂ，３３，５６・・・受信部、２７，３５，５７・・・送信部、２８，５８・・・Ｉ／Ｏ、２９，３９，５９・・・システムバス、３０・・・判断部、３４・・・電子ペーパー、５０・・・ネットワーク、６０・・・品物情報読取部、Ｄ１・・・ホームページ情報（コンテンツ情報）、Ｄ２・・・２次元コード情報（アクセス情報）、Ｄ３・・・広告情報、Ｄ４ａ，Ｄ４ｂ・・・利用者情報、Ｄ５・・・品物情報
【図１】
2010267230.tif 000003
【図２】
2010267230.tif 000004
【図３】
2010267230.tif 000005
【図４】
2010267230.tif 000006
【図５】
2010267230.tif 000007
【図６】
2010267230.tif 000008
【図７】
2010267230.tif 000009
【図８】
2010267230.tif 000010
【図９】
2010267230.tif 000011
【図１０】
2010267230.tif 000012
【図１１】
2010267230.tif 000013
【図１２】
2010267230.tif 000014
【図１３】
2010267230.tif 000015
【図１４】
2010267230.tif 000016
【図１５】
2010267230.tif 000017
【図１６】
2010267230.tif 000018